(57)【要約】【課題】断熱板を有する構成においても素早く容易に折り畳んだり組み立てたりすることができる。【解決手段】蓋部１１ａ，１１ｂ、側面１２ａ〜１２ｄ及び底面１３からなる収納容器の２つの側面１２ｃ，１２ｄに重ね合わされるように配置された断熱板２２ｃ，２２ｄが、収納容器の内側に向かって凸となるように横方向に二つ折り可能に構成されている。【選択図】図１
2017088224.tif 000002
【特許請求の範囲】
【請求項１】
天面が開閉自在に構成され、少なくとも側面が可撓性部材からなる直方体または立方体の収納容器と、
前記収納容器の４つの側面のうち互いに対向する２つの第１の側面の内側に重ね合わされるように配置され、前記収納容器の底面側の端辺を中心として前記第１の側面の内側に重ね合わされた状態から前記底面に対向する状態まで回動自在に構成された２つの第１の断熱板と、
前記収納容器の４つの側面のうち互いに対向する２つの第２の側面の内側に重ね合わされるように配置され、前記収納容器の内側に向かって凸となるように横方向に二つ折り可能に構成された２つの第２の断熱板とを有する保冷箱。
【請求項２】
請求項１に記載の保冷箱において、
前記第２の断熱板はそれぞれ、前記折り部を介して上側の領域と下側の領域のそれぞれに、互いに接合することで当該第２の断熱板を略伸張状態に仮保持する保持部材が取り付けられている、保冷箱。
【請求項３】
請求項１または請求項２に記載の保冷箱において、
前記第１の側面は、前記天面側の端辺に沿う領域に上底を有し、前記底面側の端辺と当該上底との間に下底を有し、前記上底が下底よりも長い略等脚台形領域を具備し、
該略等台形領域は、少なくとも、前記下底側の２つの頂点のそれぞれと前記上底との間において当該頂点を含む領域から前記上底まで延びた領域が、硬質板部となっている、保冷箱。
【発明の詳細な説明】
【技術分野】
【０００１】
本発明は、物品を収容して保冷する保冷箱に関し、特に、折り畳み可能な保冷箱に関する。
【背景技術】
【０００２】
物流システムにおいては、物品を一定温度、例えば低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このような保冷箱は、保冷材による内部の保冷性を高めるために、一般に断熱板によって構成されている（例えば、特許文献１参照）。
【先行技術文献】
【特許文献】
【０００４】
【特許文献１】特開２００２−１０４４５６号公報
【発明の概要】
【発明が解決しようとする課題】
【０００５】
近年、上述したように、保冷箱を用いて物品を低温で輸送することが多く行われており、そのため、低温で物品を輸送する場合も、常温で物品を輸送する場合に近い取り扱いやすさが求められている。その１つとして、常温で物品を輸送する際に利用されるコンテナと同様に、保冷箱を省スペースで素早く容易に折り畳んだり組み立てたりすることが求められる。
【０００６】
しかしながら、保冷箱を構成する断熱板は一般に、熱を伝わりにくくするためにある程度の厚みを有しているため、コンテナのように省スペースで素早く容易に折り畳んだり組み立てたりすることが困難となってしまうという問題点がある。
【０００７】
本発明は、上述したような従来の技術が有する問題点に鑑みてなされたものであって、断熱板を有する構成においても省スペースで素早く容易に折り畳んだり組み立てたりすることができる保冷箱を提供することを目的とする。
【課題を解決するための手段】
【０００８】
上記目的を達成するために本発明は、
天面が開閉自在に構成され、少なくとも側面が可撓性部材からなる直方体または立方体の収納容器と、
前記収納容器の４つの側面のうち互いに対向する２つの第１の側面の内側に重ね合わされるように配置され、前記収納容器の底面側の端辺を中心として前記第１の側面の内側に重ね合わされた状態から前記底面に対向する状態まで回動自在に構成された２つの第１の断熱板と、
前記収納容器の４つの側面のうち互いに対向する２つの第２の側面の内側に重ね合わされるように配置され、前記収納容器の内側に向かって凸となるように横方向に二つ折り可能に構成された２つの第２の断熱板とを有する。
【０００９】
上記のように構成された本発明においては、２つの第１の断熱板を、可撓性部材からなる収納容器の第１の側面に重ね合わされた状態から底面に対向する状態にそれぞれ回動させ、その後、２つの第２の断熱板を、収納容器の内側に向かって凸となるようにそれぞれ横方向に二つ折りすることで、折り畳むことができる。また、このように折り畳まれた保冷箱を組み立てる場合は、まず、二つ折りされた２つの第２の断熱板を略伸張状態とし、その後、２つの第１の断熱板を、収納容器の底面に対向する状態から第１の側面に重ね合わされた状態にそれぞれ回動させる。そして、２つの第２の断熱板が、その左右端部が第１の断熱板によって支えられることで、伸張状態となる。
【００１０】
このように、第１の断熱板を回動させ、また、第２の断熱板を折り畳みまたは伸張させることにより、保冷箱が折り畳まれたり組み立てられたりすることになるが、収納容器の２つの第２の側面に重ね合わされるように配置された第２の断熱板が、収納容器の内側に向かって凸となるように横方向に二つ折り可能に構成されているので、第２の断熱板を折り畳みまたは伸張させる際は、保冷箱の上端部を下方に押し付けたり上方に引き上げたりするようにするだけでよく、それにより、保冷箱を省スペースで素早く容易に折り畳んだり組み立てたりすることができる。
【００１１】
また、第２の断熱板がそれぞれ、折り部を介して上側の領域と下側の領域のそれぞれに、互いに接合することで第２の断熱板を略伸張状態に仮保持する保持部材が取り付けられていれば、二つ折りされた２つの第２の断熱板を略伸張状態とした際に保持部材を互いに接合させることで、第２の断熱板を伸張状態とさせやすくなる。
【００１２】
また、第１の側面のうち、天面側の端辺に沿う領域に上底を有し、底面側の端辺と当該上底との間に下底を有し、上底が下底よりも長い略等脚台形領域を具備し、略等台形領域のうち、少なくとも、下底側の２つの頂点のそれぞれと上底との間において当該頂点を含む領域から上底まで延びた領域が硬質板部となっていれば、保冷箱が折り畳まれた際に、第１の側面が略等脚台形領域の形状に折り畳まれることとなり、収納容器の第１の側面が乱雑に広がった状態とならない。
【発明の効果】
【００１３】
本発明においては、収納容器の２つの第２の側面に重ね合わされるように配置された第２の断熱板が、収納容器の内側に向かって凸となるように横方向に二つ折り可能に構成されているため、第２の断熱板を折り畳みまたは伸張させる際は、保冷箱の上端部を下方に押し付けたり上方に引き上げたりするようにするだけでよく、それにより、断熱板を有する構成においても省スペースで素早く容易に折り畳んだり組み立てたりすることができる。
【００１４】
また、第２の断熱板がそれぞれ、折り部を介して上側の領域と下側の領域のそれぞれに、互いに接合することで第２の断熱板を略伸張状態に仮保持する保持部材が取り付けられているものにおいては、二つ折りされた２つの第２の断熱板を略伸張状態とした際に保持部材を互いに接合させることで、第２の断熱板を伸張状態とさせやすくなる。
【００１５】
また、第１の側面のうち、天面側の端辺に沿う領域に上底を有し、底面側の端辺と当該上底との間に下底を有し、上底が下底よりも長い略等脚台形領域を具備し、略等台形領域のうち、少なくとも、下底側の２つの頂点のそれぞれと上底との間において当該頂点を含む領域から上底まで延びた領域が硬質板部となっているものにおいては、保冷箱が折り畳まれた際に、第１の側面が略等脚台形領域の形状に折り畳まれることとなり、収納容器の第１の側面が乱雑に広がった状態となることを回避できる。
【図面の簡単な説明】
【００１６】
【図１】本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。
【図２】図１に示した保冷箱における第１の側面の構成を示す断面図であり、（ａ）は保冷箱が折り畳まれていない状態を示す図、（ｂ）は保冷箱が折り畳まれる際の状態を示す図である。
【図３】図１に示した保冷箱における第２の側面の構成を示す断面図であり、（ａ）は保冷箱が折り畳まれていない状態を示す図、（ｂ）は保冷箱が折り畳まれた状態を示す図である。
【図４】図１〜図３に示した保冷箱の折り畳み方法を説明するための外観斜視図である。
【図５】図１〜図３に示した保冷箱において第１の断熱板を倒していく際の作用を説明するための断面図である。
【図６】図１〜図３に示した保冷箱において第２の断熱板を二つ折りにしていく際の作用を説明するための断面図である。
【図７】図１〜図３に示した保冷箱において等脚台形領域が硬質板部となっていることによる作用を説明するための断面図である。
【図８】図１〜図３に示した保冷箱の組み立て方法を説明するための外観斜視図である。
【図９】図１〜図３に示した保冷箱において第２の断熱板を伸張状態に仮保持する方法を説明するための斜視図である。
【発明を実施するための形態】
【００１７】
以下に、本発明の実施の形態について図面を参照して説明する。
【００１８】
図１は、本発明の保冷箱の実施の一形態を示す外観斜視図であり、（ａ）は天面が開かれた状態を示す図、（ｂ）は天面が閉じられた状態を示す図、（ｃ）は折り畳まれた状態を示す図である。図２は、図１に示した保冷箱における第１の側面の構成を示す断面図であり、（ａ）は保冷箱が折り畳まれていない状態を示す図、（ｂ）は保冷箱が折り畳まれる際の状態を示す図である。図３は、図１に示した保冷箱における第２の側面の構成を示す断面図であり、（ａ）は保冷箱が折り畳まれていない状態を示す図、（ｂ）は保冷箱が折り畳まれた状態を示す図である。
【００１９】
本形態は図１〜図３に示すように、蓋部１１ａ，１１ｂ、側面１２ａ〜１２ｄ及び底面１３からなる直方体の収納容器の内側に、断熱板２１ａ，２１ｂ，２２ａ〜２２ｄ，２３が配置されて構成されている。
【００２０】
蓋部１１ａ，１１ｂは、可撓性を有する２枚のアルミシートが重ね合わされて構成されており、蓋部１１ａは側面１２ｃの天面側の端辺と連接し、また、蓋部１１ｂは、側面１２ｃに対向する側面１２ｄの天面側の端辺と連接し、蓋部１１ａ，１１ｂが、側面１２ｃ，１２ｄとの連接辺を中心としてそれぞれ回動することで、収納容器の天面が開閉自在に構成されている。そのため、蓋部１１ａ，１１ｂは、側面１２ｃ，１２ｄとの連接辺に直交する方向の長さが、蓋部１１ａ，１１ｂが閉じられた場合にその一部が重なる長さとなっている。
【００２１】
蓋部１１ａ，１１ｂは、収納容器の内側となる面に断熱板２１ａ，２１ｂがそれぞれ取り付けられている。断熱板２１ａは、蓋部１１ａに対向しない面の全面がアルミシートで覆われており、蓋部１１ａ，１１ｂが閉じられた場合に、側面１２ａ〜１２ｃに重ね合わされた断熱板２２ａ〜２２ｃ及び蓋部１１ｂと干渉しないように蓋部１１ａの周縁部を避けて取り付けられている。断熱板２１ｂは、蓋部１１ｂに対向しない面の全面がアルミシートで覆われており、蓋部１１ｂが閉じられた場合に、側面１２ａ，１２ｂ，１２ｄに重ね合わされた断熱板２２ａ，２２ｂ，２２ｄと干渉しないように蓋部１１ｂの側面１２ｄとの連接辺及びそれに繋がる辺に沿う領域を避けて取り付けられている。
【００２２】
蓋部１１ａには、収納容器の内側となる面のうち、蓋部１１ａ，１１ｂが閉じられた場合に蓋部１１ｂに重なる領域に面ファスナー３１が取り付けられている。また、蓋部１１ｂには、収納容器の外側となる面のうち、蓋部１１ａ，１１ｂが閉じられた場合に蓋部１１ａに重なる領域に面ファスナー（不図示）が取り付けられている。また、蓋部１１ａ，１１ｂには、収納容器の外側となる面のうち、側面１２ｃ，１２ｄとの連接辺に繋がる辺に沿う領域に、それぞれ面ファスナー（不図示）が取り付けられている。なお、蓋部１１ａ，１１ｂのそれぞれにおいては、断熱板２１ａ，２１ｂが取り付けられていない領域に、一定の強度を保持するために２枚のアルミシート間に樹脂シートを介在させることも考えられる。
【００２３】
底面１３は、可撓性を有するシートで構成されており、収納容器の内側となる面に、底面１３に対向しない面の全面がアルミシートで覆われた断熱板２３が取り付けられている。また、底面１３の収納容器の外側となる面には、側面１２ａ，１２ｂとの連接辺の近傍にベルト２８が取り付けられている。このベルト２８は、一端が底面１３に取り付けられ、他端の一方の面に面ファスナー３３が取り付けられている。
【００２４】
側面１２ａ，１２ｂは、互いに対向して本願発明における第１の側面となるものであって、可撓性を有するシートで構成されている。側面１２ａ，１２ｂには、重ね合わされた２枚の布製シートを縫合したステッチ１５が形成されており、それにより、収納容器の天面側の端辺を上底とし、後述する断熱板２２ｃ，２２ｄがそれぞれ有する折り部２６の延長線上に下底を有し、上底が下底よりも長い等脚台形領域１４が形成されている。そして、等脚台形領域１４は、２枚の布製シート間に樹脂シートが介在していることで、側面１２ａ，１２ｂの他の領域よりも硬い硬質板部となっている。また、等脚台形領域１４のうち収納容器の外側となる面に面ファスナー３２が取り付けられている。側面１２ａ，１２ｂには、収納容器の内側となる面に重ね合わされるように第１の断熱板２２ａ，２２ｂが配置されている。また、側面１２ａ，１２ｂのうち、収納容器の天面側の端辺には、フラップ部５１ａ，５１ｂがそれぞれ連接している。
【００２５】
フラップ部５１ａ，５１ｂには、フラップ部５１ａ，５１ｂが折り畳まれた場合に収納容器の内側となる面に、側面１２ａ，１２ｂとの連接辺に沿って面ファスナー３６が取り付けられており、また、フラップ部５１ａ，５１ｂが折り畳まれた場合に収納容器の外側となる面のうちフラップ部５１ａ，５１ｂの長手方向中央部に面ファスナー３５が取り付けられている。
【００２６】
断熱板２２ａ，２２ｂは、その全面がアルミシートで覆われており、側面１２ａ，１２ｂの幅から断熱板２２ｃ及び断熱板２２ｄの厚さを減じた幅を有している。断熱板２２ａは、側面１２ａの高さから断熱板２３の厚さを減じた高さを有しており、断熱板２３の端辺に起立した状態で側面１２ａに重ね合わされ、断熱板２３との当接面のうち側面１２ａとは反対側の辺が断熱板２３に縫合等によって接合されている。それにより、断熱板２２ａは、底面１３側の端辺を中心として側面１２ａに重ね合わされた状態から底面１３に対向する状態まで回動自在に構成されている。断熱板２２ｂは、側面１２ｂの高さから断熱板２２ａ及び断熱板２３の厚さを減じた高さを有しており、断熱板２３の端辺に取り付けられた非折り曲げ部２４上に起立した状態で側面１２ｂに重ね合わされ、非折り曲げ部２４との当接面のうち側面１２ｂとは反対側の辺が非折り曲げ部２４に縫合等によって接合されている。それにより、断熱板２２ｂは、底面１３側の端辺を中心として側面１２ｂに重ね合わされた状態から底面１３に対向する状態まで回動自在に構成されている。なお、非折り曲げ部２４は、断熱板２２ｂと同等の材料から構成することが考えられるが、本願発明における第１の断熱板を構成するものではない。
【００２７】
断熱板２２ａ，２２ｂは、それぞれが底面１３に対向する状態とされると、一部が互いに重なり合う高さを有している。そのため、非折り曲げ部２４の高さが、断熱板２２ａの厚さと同等のものとなっており、それにより、断熱板２２ａが底面１３に対向する状態とされた後に断熱板２２ｂが底面１３と対向する状態とされると、図２（ｂ）に示すように、断熱板２２ｂの上面が底面１３と略平行な状態となる。
【００２８】
側面１２ｃ，１２ｄは、互いに対向して本願発明における第２の側面となるものであって、可撓性を有するアルミシートで構成されている。側面１２ｃ，１２ｄには、収納容器の内側となる面に重ね合わされるように第２の断熱板２２ｃ，２２ｄが配置され、その天面側の端辺にて断熱板２２ｃ，２２ｄと縫合等によって接合されている。
【００２９】
断熱板２２ｃ，２２ｄは、その全面がアルミシートで覆われており、側面１２ｃ，１２ｄと同等の幅を有している。断熱板２２ｃ，２２ｄは、側面１２ｃ，１２ｄの高さから断熱板２２ａ，２２ｂ及び断熱板２３の厚さを減じた高さを有しており、断熱板２３の端辺に取り付けられた非折り曲げ部２５上に起立した状態で側面１２ｃ，１２ｄにそれぞれ重ね合わされ、非折り曲げ部２５との当接面のうち重ね合わされた側面１２ｃ，１２ｄとは反対側の辺が非折り曲げ部２５に縫合等によって接合されている。断熱板２２ｃ，２２ｄは、高さ方向中央部を折り部２６として収納容器の内側に向かって凸となるように横方向に二つ折り可能に構成されている。それにより、断熱板２２ｃ，２２ｄはそれぞれ、伸張状態にて側面１２ｃ，１２ｄに重ね合わされた状態から、折り部２６を介して二つ折りされた状態で底面１３側の端辺を中心として底面１３に対向する状態まで回動自在に構成されている。なお、非折り曲げ部２５は、断熱板２２ｃ，２２ｄと同等の材料から構成することが考えられるが、本願発明における第２の断熱板を構成するものではない。
【００３０】
断熱板２２ｃ，２２ｄのうち、折り部２６を介して上側となる領域には、折り部２６が延びる方向における中央部分に保持部材となる面ファスナー３４が取り付けられている。また、断熱板２２ｃ，２２ｄのうち、折り部２６を介して下側となる領域には、折り部２６が延びる方向における中央部分に舌状部材となる固定舌部２７が取り付けられている。この固定舌部２７は、一端が断熱板２２ｃ，２２ｄに縫合等によって接合され、そこから断熱板２２ｃ，２２ｄの折り部２６を介して上側の領域の方向に延び、他端の一方の面に、面ファスナー３４と接合するための保持部材となる面ファスナー３７が取り付けられている。
【００３１】
非折り曲げ部２５は、その厚さが、断熱板２２ａと断熱板２２ｂとを重ね合わせた厚さと同等のものとなっており、それにより、断熱板２２ａ，２２ｂが底面１３に対向する状態とされた後に断熱板２２ｃ，２２ｄが上述したように二つ折りされて底面１３と対向する状態とされると、図３（ｂ）に示すように、断熱板２２ｃ，２２ｄの上面が底面１３と略平行な状態となる。
【００３２】
以下に、上記のように構成された保冷箱１の使用方法について説明する。
【００３３】
まず、保冷箱１の折り畳み方法について説明する。
【００３４】
図４は、図１〜図３に示した保冷箱１の折り畳み方法を説明するための外観斜視図である。
【００３５】
図１〜図３に示した保冷箱１を折り畳む場合はまず、図４（ａ）に示すように、蓋部１１ａ，１１ｂ及びフラップ部５１ａ，５１ｂが開いた状態で、断熱板２２ａ，２２ｂを倒していく。
【００３６】
図５は、図１〜図３に示した保冷箱１において第１の断熱板２２ａ，２２ｂを倒していく際の作用を説明するための断面図である。
【００３７】
図１〜図３に示した保冷箱１において断熱板２２ａ，２２ｂを倒していく場合はまず、図５（ａ）に示すように、断熱板２２ａを、底面１３側の端辺の断熱板２３との接合部分を中心として、側面１２ａに重ね合わされた状態から回動させ、断熱板２３に当接させて断熱板２３上に載置された状態とする。これにより、断熱板２２ａは、底面１３に対向した状態となる。
【００３８】
次に、図５（ｂ）に示すように、断熱板２２ｂを、底面１３側の端辺の非折り曲げ部２４との接合部分を中心として、側面１２ｂに重ね合わされた状態から回動させていく。すると、上述したように、断熱板２２ａ，２２ｂは、それぞれが底面１３に対向する状態とされた場合に、一部が互いに重なり合う高さを有していることから、図５（ｃ）に示すように、断熱板２２ｂの非折り曲げ部２４との接合部分とは反対側の辺の近傍の一部が、断熱板２２ａに当接し、底面１３に対向した状態となる。この際、非折り曲げ部２４の高さが、断熱板２２ａの厚さと同等のものとなっているため、断熱板２２ｂの上面が底面１３と略平行な状態となる。
【００３９】
ここで、断熱板２２ａ，２２ｂの幅がそれぞれ、側面１２ａ，１２ｂの幅から断熱板２２ｃ及び断熱板２２ｄの厚さを減じた幅となっているため、断熱板２２ａ，２２ｂは、その両端部が断熱板２２ｃ，２２ｄと当接しながら回動することとなるが、断熱板２２ｃ，２２ｄには、固定舌部２７及び面ファスナー３４が取り付けられているため、断熱板２２ａ，２２ｂが回動していくと、これら固定舌部２７及び面ファスナー３４と干渉してしまうこととなる。ところが、本形態の保冷箱１においては、上述したように、固定舌部２７及び面ファスナー３４が、断熱板２２ｃ，２２ｄのうち、折り部２６が延びる方向における中央部分に取り付けられていることから、図５（ａ），（ｂ）に示すように、断熱板２２ａ，２２ｂが固定舌部２７及び面ファスナー３４と干渉してしまうことが回避されることとなる。この作用は、保冷箱１の形状によっては、固定舌部２７及び面ファスナー３４が、断熱板２２ｃ，２２ｄのうち、折り部２６が延びる方向における中央部分以外の領域に取り付けられていても生じることとなるが、固定舌部２７及び面ファスナー３４が、断熱板２２ｃ，２２ｄのうち、折り部２６が延びる方向における中央部分に取り付けられていれば、側面１２ａ，１２ｂの高さが同一のものにおいて、断熱板２２ａ，２２ｂが固定舌部２７及び面ファスナー３４と干渉してしまうことを回避する構成を実現する際に、側面１２ｃ，１２ｄの幅を最も狭くすることができる。
【００４０】
このようにして断熱板２２ａ，２２ｂを倒して底面１３と対向する状態とした後、図４（ｂ）に示すように、断熱板２２ｃ，２２ｄをそれぞれ二つ折りにしていく。
【００４１】
図６は、図１〜図３に示した保冷箱１において第２の断熱板２２ｃ，２２ｄを二つ折りにしていく際の作用を説明するための断面図である。
【００４２】
図１〜図３に示した保冷箱１において、断熱板２２ａ，２２ｂを上記のようにして倒して底面１３と対向する状態とした後、断熱板２２ｃ，２２ｄを二つ折りにしていく場合はまず、図６（ａ）に示すように、断熱板２２ｃ，２２ｄの折り部２６を介して上側の領域に取り付けられた面ファスナー３４と、断熱板２２ｃ，２２ｄの折り部２６を介して下側の領域に取り付けられた固定舌部２７の面ファスナー３７とを剥離する。
【００４３】
次に、図６（ｂ）に示すように、断熱板２２ｃ，２２ｄを、収納容器の内側に向かって凸となるように二つ折りしていく。断熱板２２ｃ，２２ｄはそれぞれ、折り部２６を介して上側となる領域と下側となる領域とが、側面１２ｃ，１２ｄと重ね合わされる側の端辺にて接合されており、また、上述したように、非折り曲げ部２５との当接面のうち重ね合わされる側面１２ｃ，１２ｄとは反対側の辺にて非折り曲げ部２５に接合されているので、これら接合部を中心として折り畳まれていくこととなる。この際、断熱板２２ｃ，２２ｄがそれぞれ、折り部２６を介して横方向に二つ折り可能に構成されているため、保冷箱１の上端部を下方に押し付けるようにするだけで保冷箱１を折り畳んでいくことができる。
【００４４】
そして、断熱板２２ｃ，２２ｄが完全に二つ折りされて底面１３と対向する状態とされると、非折り曲げ部２５の厚さが、断熱板２２ａと断熱板２２ｂとを重ね合わせた厚さと同等のものとなっていることにより、図６（ｃ）に示すように、断熱板２２ｃ，２２ｄの上面が底面１３と略平行な状態となる。
【００４５】
このようにして、断熱板２２ａ，２２ｂが倒されて底面１３と対向する状態とされた後に断熱板２２ｃ，２２ｄが二つ折りされることで、保冷箱１が折り畳まれることとなる。
【００４６】
ここで、等脚台形領域１４が硬質板部となっていることによる作用について説明する。
【００４７】
図７は、図１〜図３に示した保冷箱１において等脚台形領域１４が硬質板部となっていることによる作用を説明するための断面図である。
【００４８】
図１〜図３に示した保冷箱１が上記のように折り畳まれていくと、４つの側面１２ａ〜１２ｄのうち側面１２ｃ，１２ｄは、上述したように収納容器の天面側の端辺にて断熱板２２ｃ，２２ｄと接合されていることにより、断熱板２２ｃ，２２ｄに沿って折り畳まれるが、側面１２ａ，１２ｂは、重ね合わされていた断熱板２２ａ，２２ｂが倒されて離間すると、折り畳まれた場合に収納容器の外側に乱雑に広がってしまう虞れがある。
【００４９】
本形態においては、上述したように、側面１２ａ，１２ｂには、重ね合わされた２枚の布製シートを縫合したステッチ１５が形成されており、このステッチ１５によって、収納容器の天面側の端辺を上底とし、断熱板２２ｃ，２２ｄがそれぞれ有する折り部２６の延長線上に下底を有し、上底が下底よりも長い等脚台形領域１４が形成されており、この等脚台形領域１４が、２枚の布製シート間に樹脂シートが介在している硬質板部となっていることにより、断熱板２２ａ，２２ｂを倒した後に断熱板２２ｃ，２２ｄをそれぞれ二つ折りにしていった場合、等脚台形領域１４の下底となる部分が収納容器の外側に突出し、図７（ａ）に示すように、等脚台形領域１４が折り畳まれることなく、側面１２ａ，１２ｂが折り畳まれていく。
【００５０】
そして、図７（ｂ）に示すように、断熱板２２ｃ，２２ｄが完全に二つ折りされると、側面１２ａ，１２ｂが、等脚台形領域１４の外形に沿って折り畳まれ、外側に乱雑に広がった状態となることがなくなる。
【００５１】
その後、図４（ｃ）及び図７（ｃ）に示すように、蓋部１１ｂを閉じた後に蓋部１１ａを閉じて、蓋部１１ａの面ファスナー３１と蓋部１１ｂの面ファスナーとを接合させ、また、フラップ部５１ａ，５１ｂを折り畳んで蓋部１１ａ，１１ｂの面ファスナーにフラップ部５１ａ，５１ｂの面ファスナー３６を接合させ、さらに、底面１３に取り付けられたベルト２８を保冷箱１の側面１２ａ，１２ｂにかけてベルト２８の面ファスナー３３とフラップ部５１ａ，５１ｂの面ファスナー３５とを接合させ、保冷箱１を折り畳み状態とする。
【００５２】
このようにして保冷箱１が折り畳まれることになるが、第２の断熱板２２ｃ，２２ｄが、収納容器の内側に向かって凸となるように横方向に二つ折り可能に構成されているため、保冷箱１の上端部を下方に押し付けるようにするだけで断熱板２２ｃ，２２ｄを折り畳むことができ、断熱板を有する構成においても省スペースで素早く容易に折り畳むことができる。
【００５３】
なお、等脚台形領域１４の上底となる部分は、側面１２ａ，１２ｂのうち収納容器の天面側の端辺に限らず、天面側の端辺に沿う領域であればよく、また、等脚台形領域１４の下底となる部分は、断熱板２２ｃ，２２ｄがそれぞれ有する折り部２６の延長線上に限らず、等脚台形領域１４の下底と、側面１２ａ，１２ｂと底面１３側の端辺との間の領域であればよい。ただし、等脚台形領域１４の高さが、保冷箱１が折り畳まれた状態における高さよりも低い必要がある。また、側面１２ａ，１２ｂに形成されたステッチ１５によって形成される形状は、上底と下底とが平行とならず、また、脚部が等しい長さとならない台形に近い形状であってもよく、これらを含めて略等脚台形と定義する。
【００５４】
次に、上記のようにして折り畳まれた保冷箱１の組み立て方法について説明する。
【００５５】
図８は、図１〜図３に示した保冷箱１の組み立て方法を説明するための外観斜視図である。
【００５６】
上記のようにして折り畳まれた保冷箱１を組み立てる場合はまず、フラップ部５１ａ，５１ｂの面ファスナー３５からベルト２８の面ファスナー３３を剥離し、蓋部１１ａ，１１ｂの面ファスナーからフラップ部５１ａ，５１ｂの面ファスナー３６を剥離してフラップ部５１ａ，５１ｂを開き、さらに、蓋部１１ａの面ファスナー３１から蓋部１１ｂの面ファスナーを剥離して蓋部１１ａ，１１ｂを開いた後、図８（ａ）に示すように、二つ折りされた断熱板２２ｃ，２２ｄを伸ばしていく。この際、断熱板２２ｃ，２２ｄが折り部２６を介して横方向に二つ折りされているため、保冷箱１の上端部を上方に引き上げるようにするだけで、断熱板２２ｃ，２２ｄを伸ばしていくことができる。
【００５７】
そして、断熱板２２ｃ，２２ｄの折り部２６を介して上側の領域に取り付けられた面ファスナー３４と、折り部２６を介して下側の領域に取り付けられた固定舌部２７の面ファスナー３７とを接合させることで、断熱板２２ｃ，２２ｄを伸張状態に仮保持することができるが、その動作を断熱板２２ｃ，２２ｄを伸ばしていく動作と併せて行うことができる。
【００５８】
図９は、図１〜図３に示した保冷箱１において第２の断熱板２２ｃ，２２ｄを伸張状態に仮保持する方法を説明するための斜視図である。
【００５９】
上述したように本形態における保冷箱１においては、保冷箱１の上端部を上方に引き上げるようにするだけで、断熱板２２ｃ，２２ｄを伸ばしていくことができるが、断熱板２２ｃ，２２ｄを半分ほど伸ばした後、図９（ａ）に示すように、断熱板２２ｃ，２２ｄの折り部２６を介して下側の領域に手２を押し付け、そのまま折り部２６を介して上側の領域に向かって手２を滑らせていくことで断熱板２２ｃ，２２ｄを伸張状態とすることができる。
【００６０】
その際、断熱板２２ｃ，２２ｄの折り部２６を介して下側の領域には、面ファスナー３７を有する固定舌部２７が取り付けられており、この固定舌部２７上にて手２を下方から上方に滑らせていくと、固定舌部２７が、その先端が下方に垂れ下がっている状態から上方に向かう状態となる。そして、固定舌部２７の先端には面ファスナー３７が取り付けられているため、この面ファスナー３７が、断熱板２２ｃ，２２ｄの折り部２６を介して上側の領域に取り付けられた面ファスナー３４と当接することで接合し、図９（ｂ）に示すように、断熱板２２ｃ，２２ｄが伸張状態に仮保持されることになる。すなわち、固定舌部２７に取り付けられた面ファスナー３７は、固定舌部２７の先端の位置の上方への変位に伴って上方に持ち上げ可能に構成されており、断熱板２２ｃ，２２ｄの折り部２６を介して上側の領域に取り付けられた面ファスナー３４と当接することで接合することとなる。このように、断熱板２２ｃ，２２ｄを伸ばしていく動作によって、断熱板２２ｃ，２２ｄを伸張状態に仮保持することができる。
【００６１】
断熱板２２ｃ，２２ｄを伸張状態に仮保持した後、図８（ｂ）に示すように、断熱板２２ｂを、底面１３側の端辺の非折り曲げ部２４との接合部分を中心として、底面１３に対向した状態から回動させ、側面１２ｂに重ね合わされた状態とする。また、断熱板２２ａを、底面１３側の端辺の断熱板２３との接合部分を中心として、底面１３に対向した状態から回動させ、側面１２ａに重ね合わされた状態とする。
【００６２】
断熱板２２ａ，２２ｂがそれぞれ側面１２ａ，１２ｂに重ね合わされた状態となると、断熱板２２ａ，２２ｂの幅がそれぞれ、側面１２ａ，１２ｂの幅から断熱板２２ｃ及び断熱板２２ｄの厚さを減じた幅となっているため、図８（ｃ）に示すように、断熱板２２ａ，２２ｂの両端部が断熱板２２ｃ，２２ｄと当接した状態となり、それにより、断熱板２２ｃ，２２ｄが伸張した状態に保持されることとなる。そのため、固定舌部２７に取り付けられた面ファスナー３７と、断熱板２２ｃ，２２ｄの折り部２６を介して上側の領域に取り付けられた面ファスナー３４とが接合することで仮保持される断熱板２２ｃ，２２ｄの状態は、完全に伸張したものでなくほぼ伸張した状態であってもよく、これらを含めて略伸張状態に保持すると定義する。
【００６３】
このようにして、折り畳まれた保冷箱１が組み立てられることになるが、第２の断熱板２２ｃ，２２ｄが、収納容器の内側に向かって凸となるように横方向に二つ折り可能に構成されているため、保冷箱１の上端部を上方に引き上げるようにするだけで断熱板２２ｃ，２２ｄを伸張させることができ、それにより、断熱板を有する構成においても省スペースで素早く容易に組み立てることができる。またその際、断熱板２２ｃ，２２ｄの折り部２６を介して上側の領域と下側の領域のそれぞれに、互いに接合することで断熱板２２ｃ，２２ｄを略伸張状態に仮保持する面ファスナー３４，３７が取り付けられていることで、断熱板２２ｃ，２２ｄを伸張状態とさせやすい。
【００６４】
なお、本形態においては、第２の断熱板２２ｃ，２２ｄの折り部２６を介して上側の領域に面ファスナー３４が保持部材として取り付けられるとともに、折り部２６を介して下側の領域に面ファスナー３７が固定舌部２７を介して保持部材として取り付けられており、これらが互いに接合することで断熱板２２ｃ，２２ｄが略伸張状態に仮保持されるが、第２の断熱板２２ｃ，２２ｄの折り部２６を介して上側の領域と下側の領域にそれぞれ取り付けられる保持部材としては、互いに接合することで断熱板２２ｃ，２２ｄを略伸張状態に仮保持することができるものであれば、断熱板２２ｃ，２２ｄの互いの当接面にそれぞれ面ファスナーを取り付けて構成する等、これに限らない。
【００６５】
また、蓋部１１ａ，１１ｂや断熱板２１ａ，２１ｂ，２２ｃ，２２ｄが軽いものから構成されていれば、収納箱１が折り畳まれた状態から、断熱板２２ｂを、底面１３側の端辺の非折り曲げ部２４との接合部分を中心として、底面１３に対向した状態から回動させ、また、断熱板２２ａを、底面１３側の端辺の断熱板２３との接合部分を中心として、底面１３に対向した状態から回動させると、二つ折りされた断熱板２２ｃ，２２ｄが断熱板２２ａ，２２ｂによって押し上げられるようにして伸張状態とされ、ワンアクションで保冷箱１を組み立てることができる。その場合、断熱板２２ｃ，２２ｄは、断熱板２２ａ，２２ｂの回動に伴って伸張状態とされていき、断熱板２２ａ，２２ｂが側面１２ａ，１２ｂに重ね合わされた状態となると、断熱板２２ａ，２２ｂの両端部が断熱板２２ｃ，２２ｄと当接することで断熱板２２ｃ，２２ｄが伸張した状態に保持されることになるので、固定舌部２７や面ファスナー３７を断熱板２２ｃ，２２ｄに取り付けておく必要はない。
【００６６】
また、本形態においては、等脚台形領域１４に、２枚の布製シート間に樹脂シートが介在していることで、等脚台形領域１４の全体が、側面１２ａ，１２ｂの他の領域よりも硬い硬質板部となっているが、等脚台形領域１４の外形に沿う領域のみに樹脂シートを介在させたり、等脚台形領域１４の２つの脚にそれぞれ沿う領域のみに樹脂シートを介在させたりすることによって、その領域のみを硬質板部とすることも考えられる。すなわち、等脚台形領域１４においては、少なくとも、下底側の２つの頂点のそれぞれと上底との間において当該頂点を含む領域から上底まで延びた領域が硬質板部となっていれば、保冷箱１が折り畳まれた際に、側面１２ａ，１２ｂが等脚台形領域１４の形状に折り畳まれることとなり、収納容器の側面１２ａ，１２ｂが乱雑に広がった状態となることを回避できる。このことを鑑みると、等脚台形領域１４の下底側の２つの頂点を含むものであれば、等脚台形領域１４の２つの脚に沿っていなくても２つの脚間の中央部分において、下底から上底まで達する１つの領域を硬質板部としたり、等脚台形領域１４の対角線を硬質板部としたりしてもよい。さらには、等脚台形領域１４の２つの脚にそれぞれ沿う領域を硬質板部とする等というように、等脚台形領域１４の下底側の２つの頂点をそれぞれ含む２つの領域を硬質板部とする場合は、これら２つの領域を上底や下底と同方向に延びる硬質板部によって繋ぐことで、２つの硬質板部の幅が狭い場合であっても、収納容器の側面１２ａ，１２ｂが乱雑に広がった状態となりにくくすることができる。
【００６７】
また、収納容器の天面が、２つの蓋部１１ａ，１１ｂによって開閉自在に構成されているが、側面１２ａ〜１２ｄのうち１つの側面と連接した１つの蓋部によって開閉自在に構成されていてもよく、蓋部が取り外し可能なものであってもよい。なお、蓋部が取り外し可能なものである場合は、蓋部が取り外された状態で折り畳んだり組み立てたりされることになるので、（底面の面積）×（側面の高さ）のみのさらなる省スペースにて折り畳んだり組み立てたりすることができる。
【００６８】
また、蓋部１１ａ，１１ｂ及び底面１３は、可撓性を有さないシートから構成されていてもよい。
【００６９】
さらに、収納容器の形状は、直方体ではなく立方体であってもよい。ただし、収納容器の形状が立方体である場合は、上述した断熱板２２ａ，２２ｂの幅がそれぞれ、側面１２ａ，１２ｂの幅から断熱板２２ｃ及び断熱板２２ｄの厚さを減じた幅となっていると、断熱板２２ａ，２２ｂを回動させた場合に、断熱板２２ａ，２２ｂが固定舌部２７と干渉してしまうことになるため、断熱板２２ａ，２２ｂの幅や形状を、断熱板２２ａ，２２ｂを回動させた場合に、断熱板２２ａ，２２ｂが固定舌部２７と干渉しないようなものとする必要がある。
【符号の説明】
【００７０】
１    保冷箱
２    手
１１ａ，１１ｂ    蓋部
１２ａ〜１２ｄ    側面
１３    底面
１４    等脚台形領域
１５    ステッチ
２１ａ，２１ｂ，２２ａ〜２２ｄ，２３    断熱板
２４，２５    非折り曲げ部
２６    折り部
２７    固定舌部
２８    ベルト
３１〜３７    面ファスナー
５１ａ，５１ｂ    フラップ部
【図１】
2017088224.tif 000003
【図２】
2017088224.tif 000004
【図３】
2017088224.tif 000005
【図４】
2017088224.tif 000006
【図５】
2017088224.tif 000007
【図６】
2017088224.tif 000008
【図７】
2017088224.tif 000009
【図８】
2017088224.tif 000010
【図９】
2017088224.tif 000011